(57)【要約】      （修正有）【課題】メガネのテンプルを随意的に交換して使用することができるメガネのテンプルの挿入構造を提供する。【解決手段】メガネのテンプルの挿入接合構造であって、メガネのフレーム本体１１０とメガネのテンプル１２０との間に設置され、メガネのテンプル１２０には、メガネのフレーム本体１１０に設けられた挿入接合スリーブに弾性的にマッチングして挿入されるための挿入接合部が設けられている。メガネのテンプル１２０の挿入接合構造において、メガネのフレーム本体１１０に挿入接合スリーブ１１１を設置し、且つ対応するメガネのテンプル１２０に挿入接合部１２１を設置した構造を採用した。このような挿入接合するマッチング構造により、メガネのテンプルを随意的に交換することができ、メガネの装飾効果を向上し、且つメガネのテンプルが損害されたとしても、自分で交換することができる。【選択図】図１
0003148667.tif 000002
【実用新案登録請求の範囲】
【請求項１】
メガネのフレーム本体とメガネのテンプルとの間に設けられたメガネのテンプルの挿入接合構造であって、
前記メガネのテンプルには、前記メガネのフレーム本体に設けられた挿入接合スリーブに弾性的にマッチングして挿入されるための挿入接合部が設けられていることを特徴とするメガネのテンプルの挿入接合構造。
【請求項２】
前記挿入接合部は、伸ばしたクリップ部に設置され、そのクリップ部の端部が前記挿入接合スリーブに弾性的にマッチングして挿入されることを特徴とする請求項１に記載のメガネのテンプルの挿入接合構造。
【請求項３】
前記挿入接合スリーブには、その内部のクリップ部の端部を簡単に押すための開口が設けられていることを特徴とする請求項２に記載のメガネのテンプルの挿入接合構造。
【請求項４】
前記挿入接合スリーブと前記メガネのフレーム本体との間には、更にピボット軸が設けられていることを特徴とする請求項１ないし請求項３のいずれかひとつに記載のメガネのテンプルの挿入接合構造。
【考案の詳細な説明】
【技術分野】
【０００１】
本考案はメガネ装置に関し、特にメガネのテンプル（つる）の取り付け構造に関する。
【背景技術】
【０００２】
従来技術に係るメガネは、必需品だけではなく装飾品としても飾る場合も多い。従って、メガネの製造者は、メガネのデザインと研究開発に力を注いている。現在、常用のメガネは、一般に二つのレンズを連結するためのメガネのフレーム本体と、当該メガネのフレーム本体の両側に設置されて、使用者の耳に掛けるための二つのメガネのテンプルとを含む。
【０００３】
しかしながら、従来技術において、メガネのテンプルとメガネのフレーム本体とはピボット接続されており、販売する時点でその取り付けが確定され、装飾効果のあるメガネのテンプルは交換することができない。メガネのテンプルが破損された場合、代理店に訪問して技術者により交換する必要があり、それを交換するためには専門的な技術が必要であり、使用者により簡単に交換することを実現することができない。
従って、従来技術には欠点が存在し、改良し発展する必要がある。
【特許文献１】特開２００２−３１７８４
【考案の開示】
【考案が解決しようとする課題】
【０００４】
本考案は、メガネのテンプルを随意的に交換して使用することができるメガネのテンプルの挿入接合構造を提供することにその目的がある。
【課題を解決するための手段】
【０００５】
本考案によれば、メガネのフレーム本体とメガネのテンプルとの間に設けられたメガネのテンプルの挿入接合構造であって、前記メガネのテンプルには、前記メガネのフレーム本体に設けられた挿入接合スリーブに弾性的にマッチングして挿入されるための挿入接合部が設けられている。
【０００６】
前記メガネのテンプルの挿入接合構造において、前記挿入接合部は、伸ばしたクリップ部に設置され、そのクリップ部の端部が前記挿入接合スリーブに弾性的にマッチングして挿入される。
【０００７】
前記メガネのテンプルの挿入接合構造において、前記挿入接合スリーブには、その内部のクリップ部の端部を簡単に押すための開口が設けられている。
【０００８】
前記メガネのテンプルの挿入接合構造において、前記挿入接合スリーブと前記メガネのフレーム本体との間には、更にピボット軸が設けられている。
【考案の効果】
【０００９】
本考案により提供されたメガネのテンプルの挿入接合構造において、メガネのフレーム本体に挿入接合スリーブを設置し、且つ対応するメガネのテンプルに挿入接合部を設置した構造を採用した。このような挿入接合するマッチング構造により、メガネのテンプルを随意的に交換することができ、メガネの装飾効果を向上し、且つメガネのテンプルが損害されたとしても、自分で交換することができる。
【考案を実施するための最良の形態】
【００１０】
以下、本考案の最良の実施形態に対して説明する。
【００１１】
図１に示したように、本考案に係るメガネのテンプルの挿入接合構造は、メガネのフレーム本体１１０とメガネのテンプル１２０との間に設けられている。メガネのフレーム本体１１０の両側において、メガネのテンプル１２０が其々に設けられている。前記メガネのテンプル１２０毎に、一つの挿入接合部１２１が設けられて、前記メガネのフレーム本体１１０に設けられた挿入接合スリーブ１１１内にマッチングして挿入される。当該挿入接合部１２１は、前記挿入接合スリーブ１１１とマッチングする時、ぴったりとマッチングして、脱落しないように一定の弾性を備える。前記挿入接合スリーブ１１１にバックル部を設置し、前記挿入接合部１２１の弾性により当該バックル部に挿入して、前記メガネのテンプル１２０を固定することも好ましい。また、このようなメガネのテンプル１２０の構造により、メガネのテンプルを交換する過程を簡単化し、消費者は自分で交換することができる。特に、消費者が異なるスタイルと色の衣服に合わせる時、異なるスタイルの複数のメガネのテンプルを事前に購入して、必要に応じて自分で交換することができ、非常に便利で実用である。
【００１２】
本考案の技術案において、図２ａ及び図２ｂに示したように、前記挿入接合部１２１を伸ばしたクリップ部に設置し、そのクリップ部の端部１２２が、前記挿入接合スリーブ１１１にマッチングして挿入されるように弾性を備えるような構造を採用することも好ましい。なお、図３に示したように、前記クリップ部の端部１２２の外側に微凸部１２３を設置し、且つ前記挿入接合スリーブ１１１の対応する側面に開口１１２を設置し、前記挿入接合部１２１を前記挿入接合スリーブ１１１内に挿入する時、前記クリップ部の端部１２２が外部に向かって少し弾性的に拡大し、その外側の微凸部が前記開口１１２に挿入されて、随意的に脱落しないように前記メガネのテンプル１２０を固定することができる。
【００１３】
メガネのテンプルを外す時、前記開口１１２を通じて、内部に向かって前記クリップ部の端部１２２を押すことにより、微凸部を緩めることができ、外部に向かって拉前記メガネのテンプル１２０を引くことにより、完全にテンプルを外すことができる。前記メガネのテンプルを取り付ける時、前記挿入接合部１２１が前記挿入接合スリーブ１１１内に挿入するように、前記メガネのテンプル１２０を内部に向かって押せば良い。
【００１４】
考案において、前記挿入接合スリーブ１１０は、ピボット軸１３０に設置されて、前記メガネのフレーム本体１１０とピボット接続されても良い。このように本考案に係るメガネのテンプル１２０は、従来の折り曲げスタイルのメガネのテンプルと同じように、折り曲げることができる。
【００１５】
本考案は、上記のような実施形態に限定されるわけではなく、当業者にとっては、上記の説明に基づいて、様々な改良又は変換を行うことができ、これらの改良及び変更は、添付した本考案の特許請求の範囲の保護範囲に属すべきである。
【図面の簡単な説明】
【００１６】
【図１】本考案のメガネのテンプルの挿入接合構造に係るメガネの取り付け構造を示す図面である。
【図２Ａ】其々に本考案のメガネのテンプルの挿入接合構造に係る一部を拡大した取り付けを示す図面である。
【図２Ｂ】其々に本考案のメガネのテンプルの挿入接合構造に係る一部を拡大した取り付けを示す図面である。
【図３】側面から見た本考案に係るメガネのテンプルの挿入接合構造の図面である。
【符号の説明】
【００１７】
１１０  …  メガネのフレーム本体
１１１  …  挿入接合スリーブ
１２０  …  メガネのテンプル
１２１  …  挿入接合部
１３０  …  ピボット軸
【図１】
0003148667.tif 000003
【図２Ａ】
0003148667.tif 000004
【図２Ｂ】
0003148667.tif 000005
【図３】
0003148667.tif 000006
【手続補正書】
【提出日】平成20年12月17日(2008.12.17)
【手続補正１】
【補正対象書類名】図面
【補正対象項目名】図３
【補正方法】変更
【補正の内容】
【図３】
0003148667.tif 000007